(57)【要約】  本方法は、吸収ヒートポンプシステムを作動させるものであり、特に、システムのスタートアップの間、又は冷却流体温度が低いとき、コンデンサを通じた温水循環式冷却流体の流動を作動するものである。吸収ヒートポンプが冷却又は加熱の全能力に達するのに要する時間を最短化するには、可能な限り速く高圧側圧力を上げ、可能な限り速く低圧側圧力を下げることが望ましい。コンデンサ冷却流体温度が低い場合、高圧側圧力がコンデンサを出る冷媒の温度の関数であるため、対応する高圧側圧力は低くなり、システムの高圧側から低圧側へ十分な流量の作動流体を許容しないようにしてもよい。
2019522162.tif 000002
【特許請求の範囲】
【請求項１】
コンデンサ及び吸収装置を備える吸着ヒートポンプを制御する方法であって、
ａ）前記コンデンサ内に入るか、又は前記コンデンサ内に存在する作動液の温度を測定することと、
ｂ）ａ）で測定された温度に応じて、前記コンデンサに入る前記作動液の流量を制御することとを備え、
これにより、前記温度が所定値を下回るとき、前記コンデンサ内に入る前記作動液の前記流量が、可能な合計流量に対して低減される方法。
【請求項２】
（ｉ）可能な総流量に対して前記コンデンサに入る前記作動液の前記流量を低減することにより、前記吸収装置に入る前記作動液の前記流量を比例して増加させ、（ｉｉ）可能な総流量に対して前記コンデンサに入る前記作動液の前記流量を増加させることにより、前記吸収装置に入る前記作動液の前記流量を比例して低減させる請求項１に記載の方法。
【請求項３】
前記コンデンサに入る前記作動液の前記流量は、少なくとも部分的に弁を閉鎖するか、又は部分的に弁を解放することによって制御される請求項１に記載の方法。
【請求項４】
前記弁は、前記コンデンサに作動液を供給する供給ライン内にある請求項３に記載の方法。
【請求項５】
前記弁は、前記吸収装置に作動液を供給する供給ライン内にある請求項３に記載の方法。
【請求項６】
前記弁は、前記コンデンサをバイパスするバイパスライン内にある請求項３に記載の方法。
【請求項７】
前記バイパスラインは、前記コンデンサをバイパスし、前記吸収装置に作動液を供給する請求項６に記載の方法。
【請求項８】
前記弁は、オン／オフ弁、多位置弁、及び比例弁からなる群より選択される請求項３に記載の方法。
【請求項９】
前記弁は、オフモードから前記ヒートポンプを稼働させた後、約５〜２０分間、閉鎖される請求項３に記載の方法。
【請求項１０】
前記コンデンサに入る前記作動液の前記流量は、オフモードから前記ヒートポンプを稼働させた後、約５〜２０分間、可能な総流量に対して低減される請求項１に記載の方法。
【請求項１１】
前記所定値は、約７０〜９０°Ｆである請求項１に記載の方法。
【請求項１２】
収着ヒートポンプ制御システムであって、
ａ）作動液を液体に凝縮するコンデンサと、
ｂ）前記作動液から熱を吸収する吸収装置と、
ｃ）前記コンデンサを出入りする作動液の温度を測定する温度センサと、
ｄ）前記コンデンサを出入りする前記作動液の前記温度に応じて、前記コンデンサに入る前記作動液の流量を制御するコントローラとを備え、
前記コンデンサに入る作動液の前記流量は、前記温度が所定値を下回るとき、可能な総流量に対して低減される収着ヒートポンプ制御システム。
【請求項１３】
（ｉ）可能な総流量に対して前記コンデンサに入る前記作動液の前記流量を低減することにより、前記吸収装置に入る前記作動液の前記流量を比例して増加させ、（ｉｉ）可能な総流量に対して前記コンデンサに入る前記作動液の前記流量を増加させることにより、前記吸収装置に入る前記作動液の前記流量を比例して低減させる請求項１２に記載の収着ヒートポンプ制御システム。
【請求項１４】
前記コンデンサに入る前記作動液の前記流量を調節する弁をさらに備える請求項１２に記載の収着ヒートポンプ制御システム。
【請求項１５】
前記弁は、前記コンデンサに作動液を供給する供給ライン内にある請求項１４に記載の収着ヒートポンプ制御システム。
【請求項１６】
前記弁は、前記吸収装置に作動液を供給する供給ライン内にある請求項１４に記載の収着ヒートポンプ制御システム。
【請求項１７】
前記弁は、前記コンデンサをバイパスするバイパスライン内にある請求項１４に記載の収着ヒートポンプ制御システム。
【請求項１８】
前記バイパスラインは、前記コンデンサをバイパスし、前記吸収装置に作動液を供給する請求項１７に記載の収着ヒートポンプ制御システム。
【請求項１９】
前記弁は、オン／オフ弁、多位置弁、及び比例弁からなる群より選択される請求項１４に記載の収着ヒートポンプ制御システム。
【請求項２０】
前記弁は、オフモードから前記ヒートポンプを稼働させた後、約５〜２０分間、部分的又は断続的に閉鎖される請求項１４に記載の収着ヒートポンプ制御システム。
【請求項２１】
前記コントローラは、オフモードから前記ヒートポンプを稼働させた後、約５〜２０分間、前記コンデンサに入る前記作動液の前記流量を制御する請求項１２に記載の収着ヒートポンプ制御システム。
【請求項２２】
前記所定値は、約７０〜９０°Ｆである請求項１２に記載の収着ヒートポンプ制御システム。
【請求項２３】
コンデンサ及び吸収装置を備えた収着ヒートポンプの制御方法であって、
オフモードから前記ヒートポンプを稼働させた後、所定時間、可能な総流量に対して前記コンデンサに入る作動液の流量を低減することを備える方法。
【請求項２４】
収着ヒートポンプ制御システムであって、
ａ）凝縮熱が作動液に伝達されるように、冷媒を液体に凝縮するコンデンサと、
ｂ）吸収熱が前記作動液に伝達されるように、冷媒が吸収剤に吸収されるようにする吸収装置と、
ｃ）コンデンサに入る前記作動液の流量を制御するコントローラとを備えることにより、
オフモードから前記ヒートポンプを稼働させた後、所定時間、前記コンデンサに入る作動液の流量が、可能な総流量に対して低減される収着ヒートポンプ制御システム。
【発明の詳細な説明】
【技術分野】
【０００１】
本発明は、エネルギー部門による助成を受け、認証ＤＥ−ＥＥ０００６１１６号として政府支援の下になされたものである。政府は、本発明に対して特定の権利を有するものである。
【０００２】
本開示は、収着ヒートポンプを制御する方法及びシステムに関連する。特に、本開示は、作動液のコンデンサへの流動を制御する方法及びシステムに関連する。
【背景技術】
【０００３】
加熱活性化吸収サイクルは、多岐に亘る作動流体を使用しており、長年に亘って冷却、冷凍、及び加熱を行うために利用されてきた。吸収サイクルでは、蒸気圧縮ヒートポンプサイクルで利用される機械的仕事（最も一般的なものとして、電気モータによって駆動されるコンプレッサを使用する）の代わりに、一次エネルギー源として熱エネルギーを利用する。吸収サイクルの最も一般的な流体として、他にも好適な組み合わせがあるが、アンモニア−水（ＮＨ３−Ｈ２Ｏ）及び臭化リチウム−水（ＬｉＢｒ−Ｈ２Ｏ）がある。
【０００４】
吸収ヒートポンプは、下位（低温）の熱を伝達し、より上位のエネルギー源（例えば、化石燃料の燃焼、太陽、熱、又は排熱）を使用して、より高温で、且つより有用な温度まで「ポンプ」するものである。結果としての加熱サイクル効率は、関与するサイクル及び温度に応じて１００％を上回る（通常、１５０〜２００％）（より正確には、より上位の熱入力によって分割される総伝達熱出力に基づき、１．５〜２．０の動作係数（ＣＯＰ））。家庭内の水加熱への適用において、下位の熱エネルギー源は、通常、屋内又は屋外の大気であり（地熱等、その他のエネルギー源も使用可能であるが）、水は、通常の地温（約３５〜８０°Ｆ）から１１０〜１６０°Ｆまで加熱される。暖房への適用については、下位の熱エネルギー源は、屋外の大気又は地熱であり、建物内部の加熱システムに接続された作動液は、通常、９０〜１６０°Ｆの温度まで加熱される。
【０００５】
吸収ヒートポンプは、一部は高圧で作動し、他は低圧で作動するいくつかの特殊熱交換機と、低圧側から高圧側にサイクル作動流体を移動させる溶液ポンプとを備える。冷媒は、好適な熱源からの熱エネルギーを使用して、高圧で、脱着装置内の吸収剤から脱着される。この冷媒の蒸気は、コンデンサ内で液体に凝縮される。コンデンサを出る冷媒液体の飽和温度は、高圧側圧力の値を決める（飽和温度が低いほど、対応して高圧側圧力が低くなる）。コンデンサを出る液体冷媒は、これが下位のエネルギー源（通常は、外気又は地熱シンク）によって蒸発される蒸発器に入る前に、絞り弁又は固定の制限（オリフィス又はキャピラリチューブ）を使用して、低圧側圧力に拡張する。低圧側圧力は下位のエネルギー源より低い冷媒の沸点に対応するため、下位のエネルギー源の温度は、低圧側圧力の値を決める。脱着装置を出る冷媒に弱い吸収剤も、絞り弁又は固定の制限を使用して低圧側圧力に拡張され、冷媒蒸気が吸収剤に吸収される蒸発器を出る低圧冷媒とともに、吸収装置に入る。吸収装置を出る冷媒−吸収剤液体は、高圧側圧力に送り戻され、脱着装置に入ってサイクルを再開させる。
【０００６】
サイクルが適正に機能するには、ヒートポンプ作動流体(冷媒及び吸収剤)は、システムの高圧側圧力部分から制限装置を通じてシステムの低圧側圧力部分へ（ポンプへ）連続的に流れて戻らなければならない。高圧側と低圧側との間の差圧により、この流動を可能にする。差圧が十分に高くなければ、作動流体の流量は低減することがあり、吸収システムを適正に動作させないか、又は動作上の問題を生じることがある。
【０００７】
加熱への適用では、流体（通常、水又はグリコール−水の混合物等の作動液）は、コンデンサ及び吸収装置を通じて循環されて凝縮熱及び吸収熱を集熱し、その温度を上昇させてもよい。その後、加熱された作動液を使用して、建物内の空気（例えば、暖房）又は貯留タンク（例えば、家庭用温水加熱）内の水であり得る負荷を加熱してもよい。作動液は、コンデンサ及び吸収装置を通じて直列に、並列に、又はこれらの組み合わせで流動してもよい。サイクル効率を最大化するには、吸収装置を最大限冷却することが望ましく、高圧側圧力が可能な限り低いことが望ましい。吸収加熱サイクルでは、コンデンサ及び吸収装置を通じて作動液の並列流動構成を使用して、最大効率が得られてもよい。
【０００８】
効率を最大化し、最適な顧客満足を与えるには、システム開始後、吸収ヒートポンプの加熱能力又は冷却能力が速やかに最大値まで上昇することが非常に望ましい。吸収システムが特定期間オフモードであった後に稼働されるとき、高圧側と低圧側の圧力差は、非常に低いか、又はゼロであることが多い。システムが稼働されて熱が脱着装置に付与されるとき、冷媒蒸気が生成されてコンデンサへ入るので、高圧側圧力が上昇し始めるであろう。しかしながら、コンデンサの熱交換器（通常、スチール製）の温度のように、冷媒蒸気の初期流量が低いこともあり、高圧側圧力が非常にゆっくり上昇することが多い。従って、高圧側と低圧側との間の圧力差は徐々に増加して、高圧側と低圧側との間の作動流体の循環率を低くし、システムの加熱能力又は冷却能力を所望より遅く上昇させる。
【０００９】
加熱の適用で、特にヒートポンプを使用して貯留タンク内の冷水を加熱する家庭内温水への適用では、システムのスタートアップ時における作動液の温度は、非常に低くなることがある。暖房の適用では、加熱システムが長い期間、オフモードにあった場合、スタートアップ時の温水循環温度も非常に低くなることがある。コンデンサ及び吸収装置を通じて流れる作動液の温度が低いとき、コンデンサを出る冷媒温度も低くなり、結果として高圧側圧力が低くなる。これにより、高圧側と低圧側との間の圧力差は、ヒートポンプが作動するのに不十分となるか、又は問題無く作動するのに不十分となる。極端な場合として温水循環温度が低く、蒸発器に連結された下位の熱源（暑い日の家庭用温水加熱等）が温かいとき、高圧側と低圧側との飽和圧力差が非常に低くなるか、潜在的には負圧にさえなることがある。
【００１０】
温水循環ループに直列構成を使用すると、作動液はまずコンデンサに入る前に吸収装置（ここでは、温水循環がより高い温度に加熱される）を通過し、コンデンサに入る温水循環温度を上昇させることにより、スタートアップを早め、低い温水循環温度での動作を改善するという効果を奏する。しかしながら、この実施では、高圧側圧力を必要以上に高くすることにより、スタートアップ期間後のヒートポンプの最大効率を下げてしまう。直列構成はまた、ヒートポンプの部品の最大作動圧力で、温水循環温度をどの程度高く加熱できるかを制限し得る。
【概要】
【００１１】
我々は、コンデンサ及び吸収装置を備えた収着ヒートポンプを制御する方法を提供する。当該方法は、コンデンサを出入りする作動液の温度を測定することと、測定された温度に応じて、コンデンサに入る作動液の流量を制御することとを備え、これにより、温度が所定値を下回るとき、コンデンサに入る作動液の流量が可能な総流量に対して低減される。
【００１２】
我々は、作動液を液体に凝縮するコンデンサと、作動液から熱を吸収する吸収装置と、コンデンサを出入りする作動液の温度を測定する温度センサと、コンデンサを出入りする作動液の温度に応じて、コンデンサに入る作動液の流量を制御するコントローラとを備え、温度が所定値を下回るとき、コンデンサに入る作動液の流量が可能な総流量に対して低減される収着ヒートポンプ制御システムも提供する。
【００１３】
我々は、コンデンサ及び吸収装置を備えた収着ヒートポンプを制御する方法も提供する。当該方法は、オフモードからのヒートポンプの可動後、所定時間、コンデンサに入る作動液の流量が可能な総流量に対して低減されることを備える。
【００１４】
我々は、凝縮熱が作動液に伝達されるように、冷媒を液体に凝縮するコンデンサと、吸収熱が作動液に伝達されるように、冷媒が吸収剤に吸収されるようにする吸収装置と、コンデンサに入る作動液の流量を制御するコントローラとを備えることにより、オフモードからのヒートポンプの稼働後の所定時間、コンデンサに入る作動液の流量が可能な総流量に対して低減されるようにする収着ヒートポンプ制御システムも提供する。
【図面の簡単な説明】
【００１５】
【図１】図１は、吸収ヒートポンプのポンプサイクルの概略である。
【図２】図２は、制御弁を備えた一例としての吸収ヒートポンプのポンプサイクルの概略である。
【図３】図３は、制御弁を備えた代替例としての吸収ヒートポンプのポンプサイクルの概略である。
【図４】図４は、２つの制御弁を備えた代替例としての吸収ヒートポンプのポンプサイクルの概略である。
【図５】図５は、バイパスライン内に制御弁を備えた代替例としての吸収ヒートポンプのポンプサイクルの概略である。
【図６】図６は、バイパスライン内に制御弁を備えたさらに他の代替例としての吸収ヒートポンプのポンプサイクルの概略である。
【実施形態の説明】
【００１６】
以下の説明は、図示の説明のために選択された構造の特定例について言及することを意図されており、添付のクレーム以外で本開示を規定又は限定することを意図されていない。
【００１７】
我々は、コンデンサ及び吸収装置を備える収着ヒートポンプを制御するシステム及び方法であって、当該方法は、コンデンサを出入りする作動液の温度を測定することと、測定された温度に応じて、コンデンサに入る作動液の流量を制御することとを備え、温度が所定値を下回るとき、コンデンサに入る作動液の流量は、潜在的な総流量に対して低減されるシステム及び方法を提供する。
【００１８】
我々はまた、コンデンサ及び吸収装置を備える収着ヒートポンプを制御するシステム及び方法であって、当該方法は、オフモードからヒートポンプを稼働した後の所定時間、コンデンサに入る作動液の流量を制御することを備えるシステム及び方法を提供する。
【００１９】
簡易且つ単一効果の吸収ヒートポンプサイクル１００が図１に示されている。この説明の目的で、サイクルは、気体燃焼ＮＨ３−Ｈ２Ｏサイクルであると想定する。しかしながら、任意の数のサイクル構成及び作動流体のペアが可能であり、当業界において周知である。
【００２０】
高温熱源（図示せず）は、冷媒を高圧（通常、約２００〜３００ｐｓｉａ）にてＮＨ３−Ｈ２Ｏ溶液から蒸発させる脱着装置（ＤＥＳ）１０１に熱エネルギーを提供する。ＮＨ３蒸気は、脱着装置１０１を出ると、整流器ＮＨ３蒸気供給ライン１０２によって整流器（ＲＥＣＴ）１−３に送られる。整流器１０３内のＮＨ３蒸気流に存在する少量の水蒸気は、凝縮ライン１０４によって除去され、脱着装置１０１に戻されてもよい。熱は、コンデンサ供給ライン１０６を通じてコンデンサ（ＣＯＮＤ）１−５に精製ＮＨ３蒸気を送ることにより、精製ＮＨ３蒸気から除去されてもよく、精製ＮＨ３蒸気がコンデンサ１０５内で液体に凝縮されるようにする。コンデンサ１０５内の液体ＮＨ３は、冷媒熱交換器液体供給ライン１０８により、冷媒熱交換機（ＲＨＸ）１０７に送られてもよい。液体ＮＨ３は、冷媒熱交換器（ＲＨＸ）１０７内でさらに冷却された後、液体ＮＨ３を冷媒熱交換器（ＲＨＸ）１０７から第１の制限装置入力ライン１１０を通じて第１の制限装置１０９に液体ＮＨ３を送ることにより、低圧（通常、５０〜１５０ｐｓｉａ）となるように低減される。低圧液体ＮＨ３は、その後、第１の制限装置出力ライン１１２によって蒸発器（ＥＶＡＰ）１１１に送られてもよい。低圧液体ＮＨ３は、蒸発器（ＥＶＡＰ）１１１内の下位のエネルギー源（図示せず）からの熱を使用して、蒸発器（ＥＶＡＰ）１１１内で蒸発されることにより、下位の熱源を冷却してもよい。蒸発されたＮＨ３は、冷媒熱交換器蒸気供給ライン１１４により、蒸発器１１１から冷媒熱交換器１０７に送られる。冷媒熱交換器１０７において、冷媒熱交換器蒸気供給ライン１１４から蒸発したＮＨ３が加熱される。加熱されたＮＨ３は、その後、吸収装置供給ライン１１６により、冷媒熱交換器１０７から吸収装置（ＡＢＳ）１１３に送られてもよい。
【００２１】
ＮＨ３濃度の低い、高温且つ高圧のＮＨ３−Ｈ２Ｏ溶液は（「弱い」溶液と称されることが多い）、弱い溶液の供給ライン１１８を通じて脱着装置１０１を出て、溶液熱交換器（ＳＨＸ）１１５に送られる。弱い溶液は、溶液熱交換器（ＳＨＸ）１１５において冷却されてもよい。冷却された弱い溶液は、その後、冷却された弱い溶液を第２の制限装置入力ライン１２０を通じて第２の制限装置１１７に送ることにより、低圧まで低減されてもよい。低圧且つ冷却された弱い溶液は、第２の制限装置出力ライン１２２により、第２の制限装置１１７から吸収装置１１３に送られてもよい。吸収装置１１３において、ＮＨ３蒸気は、弱いＮＨ３−Ｈ２Ｏ溶液内に吸収して戻される。これは発熱プロセスであり、吸収熱が継続して除去されることにより、吸収プロセスを続けることが好ましい。
【００２２】
吸収装置出力ライン１２４を介して吸収装置１１３を出た冷却高ＮＨ３濃度溶液（「強い」溶液と称されることが多い）は、ポンプ１１９によって高圧に送り戻され、強い溶液の供給ライン１２６によって整流器１０３のコイル１２１に送られる。強い溶液は、整流器コイル１２１を通過し、ＮＨ３蒸気を冷却及び精製する。強い溶液は、その後、溶液熱交換器蒸気供給ライン１２８により、整流器１２１から溶液熱交換器１１５に移送されてもよい。強い溶液は、その後、脱着装置蒸気供給ライン１３０を通じて脱着装置１０１に入るのに先立って溶液熱交換器１１５内で予熱され、プロセスを再開させてもよい。
【００２３】
炭素燃料の燃焼、太陽熱、排熱等を使用して、上位の熱を脱着装置１０１に提供することもできる。蒸発器１１１は、エアフィンチューブコイル熱交換器への直接冷媒、又は温水循環作動流体熱交換器への間接冷媒を利用してもよい。間接法の１つの効果として、冷凍チャージ全体量を低減できることが挙げられる。
【００２４】
図２は、コントローラを有する暖房又は水加熱を行うように構成された簡易且つ単一効果の吸収ヒートポンプサイクル２００を示している。脱着装置２０１、整流器２０３、コンデンサ２０５、冷媒熱交換器２０７、蒸発器２１１、吸収装置２１３、及び溶液熱交換器２１５は、図１に示される通り、配置される。
【００２５】
しかしながら、図２は、冷媒を沸騰させる蒸発器２１１を通過する低温熱源としての大気２２３を示している。大気２２３は、蒸発器熱源入力ライン２３１によって蒸発器２１１に入り、蒸発器熱源出力ライン２３２によって蒸発器２１１を出る。大気２２３は、建物の内外をソースとするものとし得る。
【００２６】
図２は、吸収ヒートポンプから加熱対象の負荷に熱を送る温水循環（例えば、水又はグリコール−水の混合物）ループ２２５をさらに示している。図２は、例えば、暖房のための空気結合熱交換機、水を加熱するための水槽に接続された熱交換器等であり得る屋内コイルとしての負荷を特定している。作動液は、この負荷によって冷却されるが、まず、温水循環入力ライン２３３によって、任意の凝縮熱交換機（ＣＨＸ）２２７に送られてもよい。凝縮熱交換器２２７は、さらに、高温脱着装置２０１の加熱源を冷却し、損失を低減する（この場合、炭素燃料の燃焼が想定される）ように機能する。温水循環入力ライン２３３からの作動液の温度が脱着装置２０１を出る燃焼排気の露点を下回るとき、脱着装置２０１を出た燃焼排気ライン２３５内の水蒸気は、凝縮され、凝縮熱交換機２２７に送られ、燃焼排気からのエネルギー損失を著しく低減することができる。
【００２７】
凝縮熱交換器２２７を出た後、作動液は、コンデンサ２０５及び吸収装置２１３に入り、ヒートポンプサイクルから凝縮熱及び吸収熱を集熱する。温水循環は、直列、並列、又はこれらの何等かの組み合わせでコンデンサ２０５及び吸収装置２１３を流動することができる。並列構成が図２に示されており、ここでは温水循環の一部がコンデンサ温水循環流動入力ライン２３７を介してコンデンサ２０５に入り、残りの温水循環流動が吸収装置温水循環流動入力ライン２３９を介して吸収装置２１３に入る。コンデンサ温水循環流動出力ライン２４１及び吸収装置温水循環流動出力ライン２４３を介してコンデンサ２０５及び吸収装置２１３を出た後、加熱された温水循環流動は、再び合流し、作動液出力ライン２５１を介して加熱対象の負荷に移動する。並列流動配置では、コンデンサ２０５を通過する温水循環流動全体のパーセンテージは、選択された特定のサイクル又は特定の適用によって決まることが多い。一般的に、温水循環流動を分割するパーセンテージは、コンデンサ／吸収装置の加熱能力比率と同様であり、これは吸収装置の約６０％であることが多い。
【００２８】
温水循環流動を分割するパーセンテージは、弁２４７を作動するコントロール２４５によって制限することができる。任意で、コントロール２４５は、凝縮熱交換機２２７を出入りする作動液の温度に応じて弁２４７を作動してもよい。例えば、コントロール２４５は、温度が約７０〜９０°Ｆの温度を下回る等、所定値を下回るとき、可能な総流量に対してコンデンサを出入りする作動液の流量を低減してもよい。作動液の温度を測定するには、温度センサ２４９ａが凝縮熱交換機２２７の上流の温水循環入力ライン２３３に採用されてもよく、温度センサ２４９ｂが凝縮熱交換機２２７の下流の温水循環入力ライン２３３に採用されてもよい。
【００２９】
図２は、コンデンサ温水循環流動入力ライン２３７における弁２４７を示しており、ここでコンデンサ２０５に入る。弁２４７は、オン／オフタイプか、又は可変位置タイプとすることができる。弁２４７（全開、全閉、又はこの中間のどこか）の位置は、凝縮熱交換２２７を出る（或いは、凝縮熱交換器２２７に入る）作動液の温度に応じて、コントローラ２４５によって制御される。温度センサ２４９ａ及び２４９ｂ（熱電対、ＲＴＤ、サーミスタ、又はその他の温度測定装置）が温水循環入力ライン２３３に装着され、凝縮熱交換器２２７を出入りする作動液の温度が把握されるようにする。
【００３０】
コンデンサ２０５に入る作動液の温度が所定値を下回るとき、コントローラ２４５は、弁２４７を閉鎖又は一部閉鎖するように挙動し、コンデンサ２０５を通じた作動液の流量を停止又は低減する。コンデンサ２０５を通じた温水循環流量を停止又は低減することにより、コンデンサ温水循環流動出力ライン２４１を介してコンデンサ２０５を出る冷媒の温度が上昇させられ、高圧側圧力を上昇させる。この制御方法では、高圧側圧力が最小値を上回るように維持し、高圧側圧力と低圧側圧力との圧力差が、圧力制限装置２０９及び２１７を通じて十分に高い比率で作動流体が流れるようにし、ヒートポンプサイクル２００を適正に動作させ続けるのに十分な圧力差となるようにする。
【００３１】
このようにコンデンサ２０５を通じた温水循環流量を停止又は低減することにより、通常の温水循環流量より多くの流量が吸収装置２１３を通過し、吸収装置温水循環流動出力ライン２４３を介して吸収装置２１３を出た強い溶液がより低温で出るようにする。ライン２２４内の吸収装置２１３を出た強い溶液の温度が低下するほど、ヒートポンプサイクル２００の効率は上がるため、コントロール２４５が弁を閉鎖又は部分閉鎖するように作動する期間中、吸収装置２１３を通じた余剰の流量により、ヒートポンプをより効率的に動作させることとなろう。
【００３２】
コンデンサ２０５を通じた温水循環流量は、コンデンサ２０５に入る作動液の温度に基づき、簡易のオン／オフ弁、多位置弁、又は比例弁（２４７として総称する）を使用して制御することができる。オン／オフ弁は、最も簡易で、且つ最も安価なオプションを提供するものである。オン／オフ弁が使用されると、コントロール２４５は、作動液の温度に基づき、所定の間隔で、弁２４７をオン及びオフするように構成することができる。例えば、作動液が非常に冷たかった場合、コントロール２４５は、オンである期間より長く、弁をオフに維持するように挙動するであろう。温水循環温度が上昇するほど、これに応じて（より長時間オンにし、より短時間オフにする）オン及びオフのサイクルの時間間隔を調整し、コンデンサ２０５に入る作動液の温度に基づき、略最低の高圧側圧力を維持することができる。温水循環温度は所定値まで上昇するとき、コントロール２４５は、弁２４７を常時開放した状態に維持し、「正常な」ヒートポンプ動作を許容することができる。弁２４７がオフ（閉鎖）である期間中、温水循環流動全体がコンデンサ２０５をバイパスし、吸収装置２１３を通じて流動する。
【００３３】
多位置弁又は比例弁が使用されるとき、コントローラ２５４は、コンデンサ２０５に入る温水循環の温度に基づき、所定位置に弁２４７を位置付けるように挙動してもよい。例えば、温水循環温度が非常に冷たい場合、弁は、温水循環温度がより高いときに比べ、より閉鎖された位置に設定されてもよい（吸収装置２１３により多くの温水循環流動をバイパスする）。温水循環温度が所定値まで上昇するとき、コントロール２４５は、弁２４７を常時開放した状態に維持し、「正常な」ヒートポンプ動作を許容すしてもよい。
【００３４】
吸収ヒートポンプ２００がオフ（非稼働）であったとき、通常、高圧側圧力と低圧側圧力は、正常な高圧と正常な低圧との間の圧力に等しい。ヒートポンプ作動流体が冷却を継続するので、この等しくされた「システム」圧力は、冷媒の濃度及び周辺温度に基づき、飽和圧力に達するまで減衰し続けるであろう。ヒートポンプ２００がオフ状態から稼働するとき、高圧側圧力が可能な限り速く上昇することが望ましく、低圧側圧力が可能な限り速く低下することが望ましく、ヒートポンプ２００が可能な限り速く最大加熱能力又は最大冷却能力に達することが望ましい。
【００３５】
従って、スタートアップ条件の間（例えば、ヒートポンプサイクルが稼働された後の最初の５〜２０分）、代替の弁制御方法論が利用されてもよい。コンデンサ２０５を通じた温水循環流量が停止又は低減される場合、高圧側圧力がより急速に上昇するであろうため、コントロール２４５はスタートアップ期間中の所定期間、弁２４７を閉鎖することが望ましい。弁が閉鎖するとき、吸収装置２１３を通じた温水循環流量が増加されることにより、低圧側圧力をより急速に低下させる。
【００３６】
ヒートポンプのスタートアップ期間中、コンデンサ２０５に入る温水循環温度に基づいてコントローラ２４５が弁２４７をオン又はオフするのに使用する期間は、恒常状態動作での使用（又は、多位置弁又は比例弁が使用される場合は弁の位置）と異なってもよい。例えば、コントローラ２４５は、温水循環温度を問わず（この期間は温水循環温度の関数となってもよいが）、スタートアップ中の所定期間、弁２４７を閉鎖（又は部分閉鎖）するようにプログラムされてもよい。温水循環温度の関数としてのオン／オフ期間(又は弁の位置)は、恒常状態の条件と比較して、スタートアップ期間中と僅かに異なり、ヒートポンプシステム２００が可能な限り速く、最大能力及び最大効率に達するようにしてもよい。
【００３７】
図３において、並列構成において温水循環で冷却されるコンデンサ３０５及び吸収装置３１３を備えたヒートポンプサイクル３００の簡易図では、弁３４７がコンデンサ３０５への注入口においてコンデンサ温水循環流動入力ライン２３７に配置され、温度センサ３４９がコンデンサ３０５に入る温水循環の温度を測定するように配置され、コントロール３４５が温水循環温度に関連して弁３４７の位置を制御するように構成されている。この配置によると、コンデンサ３０５を通過しない温水循環流動の部分が吸収装置３１３を通過し、吸収装置３１３内の作動流体をさらに冷却し、ヒートポンプの効率を向上する。
【００３８】
図４では、同様の吸収装置−コンデンサの並列構成を備えたヒートポンプサイクル４００が示されており、第２の弁４４７ｂの追加が吸収装置温水循環流動入力ライン４３９に配置されている。双方の弁（４４７ａ及び４４７ｂ）の位置は、コンデンサ４０５−吸収装置４１３に入る温水循環温度を測定するために配置された温度測定装置４４９に接続されたコントローラ４４５によって制御される。この構成によると、吸収装置４１３を通じた温水循環流動は、作動液温度に応じて停止又は低減されてもよく、温水循環流動の一部は、吸収装置４１３を通過せず、（コンデンサ４０３をさらに冷却し、高圧側圧力を低下させる）コンデンサ４０３を通過する。この配置は、非常に高温の温水循環温度を負荷に送達することが求められるシステムにおいて有利となることがある。温水循環温度が所定温度まで上昇するとき、これはヒートポンプの部品の許容可能な最大高圧側圧力を示すが、コントロール４４５は、吸収装置４１３を通じた温水循環流動を停止又は低減するように挙動し、コンデンサ４０５がより冷却して稼働できるようにし、高圧側圧力を限定するようにできる。上述の通り、弁４４７ａ及び／又は４４７ｂがオン／オフタイプであれば、コントローラ４４５は、温水循環温度に基づく異なる期間において、弁４４７ａ及び／又は４４７ｂをオン／オフするように挙動することができる。この配置は、吸収装置４１３を通じた温水循環を低減することにより、ヒートポンプの効率を低減することがあるが、必要に応じて、ヒートポンプにより高い温水循環温度を提供させるであろう。或いは、コンデンサを通じた流動は、弁４４７ｂを使用して制御することもできる。正常動作中、弁４４７ｂは、半開き位置に設定される。コンデンサを通じ、温水循環流動を通じた流動を低減することが望ましいとき、弁４４７ｂが開放され、コンデンサ脚部に対して吸収装置脚部を通じて流れる作動液の圧力損失を低減し、これにより、吸収装置を通じた流動を増加させ、コンデンサを通じた流動を低減させる。
【００３９】
ヒートポンプサイクルの他に例によると、コンデンサを通じた流動は、弁４４７ｂを使用して制御することもできる。正常動作中、弁４４７ｂは、半開き位置に設定される。コンデンサを通じ、温水循環流動を通じた流動を低減することが望ましいとき、弁４４７ｂは、開放されてもよい。これにより、コンデンサ脚部に対して吸収装置脚部を通じて流れる作動液の圧力損失を低減することで、吸収装置を通じた流動を増加させ、コンデンサを通じた流動を低減させる。
【００４０】
図５では、ヒートポンプサイクル５００が示されており、吸収装置５１３及びコンデンサ５０５が直列構成の温水循環ループに紐づけられている（まず、コンデンサ５０５が示されている）。この場合、弁５４７は、コンデンサ５０５の周辺でバイパスライン５５３内に配置される。正常動作中、弁５４７は、閉鎖されることにより、コンデンサ５０５を通じて温水循環流動全体を押し進めてもよい。コンデンサ５０５に入る温水循環温度が所定値を下回る場合（又は、ヒートポンプのスタートアップシーケンス中）、コントローラ５４５は、弁５４７を開放（又は、一部開放）し、温水循環流動の全部又は一部にバイパスライン５５３を介してコンデンサ５０５をバイパスさせることができる。この配置において、弁が開放されれば、吸収装置５１３に入る温水循環の温度は、閉鎖された弁に比べて低くなることにより、吸収装置５１３内での冷却を促進し、ヒートポンプ効率を向上するであろう。
【００４１】
図６は、ヒートポンプサイクル６００を示しており、吸収装置６１３及びコンデンサ６０５が直列構成で温水循環ループに紐づけられている（まず、吸収装置６１３が示されている）。この場合、弁６４７は、コンデンサ６０５の周辺でバイパスライン６５３内に配置される。正常動作中、弁６４７が閉鎖されることにより、コンデンサ６０５を通じて温水循環流動全体を押し進めてもよい。コンデンサ６０５に入る温水循環温度が所定値を下回る場合（又は、ヒートポンプのスタートアップシーケンス中）、コントローラ６４５は、弁６４７を開放（又は、一部開放）し、温水循環流動の全体又は一部にバイパスライン６５３を介してコンデンサ６０５をバイパスさせることができる。この配置において、温水循環流動全体がまず、吸収装置６１３を通過することができるため、この冷却能力（及びヒートポンプの効率）は、弁の位置の影響を受けるものでない。
【００４２】
装置及び方法について特定の形態との関係で説明したが、添付のクレームに記載の本開示の主旨及び範囲から逸脱することなく、本明細書に記載の特定の要素について、種々の同等物で代替されてよいことが理解されるであろう。
【図１】
2019522162.tif 000003
【図２】
2019522162.tif 000004
【図３】
2019522162.tif 000005
【図４】
2019522162.tif 000006
【図５】
2019522162.tif 000007
【図６】
2019522162.tif 000008
【国際調査報告】
2019522162.tif 000009